【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
シートを搬送する搬送手段と、
前記搬送手段によって搬送されてきた前記シートが積載される積載手段と、
前記積載手段に積載されたシートを処理する処理手段と、
前記搬送手段によって前記積載手段へ搬送される前記シートの通過を許容し、かつ前記処理手段の作動中に、前記通過するシートを所定枚数バッファするバッファ手段と、
前記バッファ手段に配設されて、前記所定枚数のシートがバッファされた後、前記所定枚数のシートを前記バッファ手段から前記積載手段に移送する移送手段と、を備えたシート処理装置において、
前記搬送手段のシート搬送速度を制御する制御手段を備え、
前記制御手段が、前記移送手段が前記バッファシートを移送しているときの前記シート搬送速度を、前記移送手段が前記バッファシートを受け入れているときの前記シート搬送速度よりも遅くする、
ことを特徴とするシート処理装置。
【請求項２】
前記移送手段が、前記バッファシートを受け入れるとき離間し、前記バッファシートを移送するとき挟持して回転搬送する回転体対を有している、
ことを特徴とする請求項１に記載のシート処理装置。
【請求項３】
シートを搬送する搬送手段と、
前記搬送手段によって搬送されてきた前記シートが積載される積載手段と、
前記積載手段に積載されたシートを処理する処理手段と、
前記処理手段の作動中に、前記搬送手段によって前記積載手段に搬送されてくるシートを所定枚数バッファするバッファ手段と、を備えたシート処理装置において、
前記搬送手段のシート搬送を制御する制御手段を備え、
前記制御手段が、前記処理手段によって処理されるジョブシート枚数が前記所定のバッファシート枚数未満のときの前記シートの搬送を制御して、前記ジョブシート枚数分だけのシートを前記バッファ手段にバッファさせて、前記処理手段が１ジョブ分毎のシート処理を行えるようにしてなる、
ことを特徴とするシート処理装置。
【請求項４】
シートに画像を形成する画像形成部と、
前記画像形成部によって画像を形成されたシートを処理するシート処理手段と、を備え、
前記シート処理装置が請求項１乃至３のいずれか１項に記載のシート処理装置である、
ことを特徴とする画像形成装置。
【請求項５】
シートを搬送する搬送手段と、
前記シートに画像を形成する画像形成部と、
前記搬送手段によって搬送されてきた前記シートが積載される積載手段と、
前記積載手段に積載されたシートを処理する処理手段と、
前記搬送手段によって前記積載手段へ搬送される前記シートの通過を許容し、かつ前記処理手段の作動中に、前記通過するシートを所定枚数バッファするバッファ手段と、
前記バッファ手段に配設されて、前記所定枚数のシートがバッファされた後、前記所定枚数のシートを前記バッファ手段から前記積載手段に移送する移送手段と、を備えたシート処理装置において、
前記搬送手段のシート搬送速度を制御する制御手段を備え、
前記制御手段が、前記移送手段が前記バッファシートを移送しているときの前記シート搬送速度を、前記移送手段が前記バッファシートを受け入れているときの前記シート搬送速度よりも遅くする、
ことを特徴とする画像形成装置。
【請求項６】
前記移送手段が、前記バッファシートを受け入れるとき離間し、前記バッファシートを移送するとき挟持して回転搬送する回転体対を有している、
ことを特徴とする請求項５に記載の画像形成装置。
【請求項７】
シートを搬送する搬送手段と、
前記シートに画像を形成する画像形成部と、
前記搬送手段によって搬送されてきた前記シートが積載される積載手段と、
前記積載手段に積載されたシートを処理する処理手段と、
前記処理手段の作動中に、前記搬送手段によって前記積載手段に搬送されてくるシートを所定枚数バッファするバッファ手段と、を備えたシート処理装置において、
前記搬送手段のシート搬送速度を制御する制御手段を備え、
前記制御手段が、前記処理手段によって処理されるジョブシート枚数が前記所定のバッファシート枚数未満のときの前記シートの搬送を制御して、前記ジョブシート枚数分だけのシートを前記バッファ手段にバッファさせて、前記処理手段が１ジョブ分毎のシート処理を行えるようにしてなる、
ことを特徴とする画像形成装置。
【請求項８】
前記搬送手段が、前記画像形成部の上流側に配設されたローラ対である、
ことを特徴とする請求項５又は７に記載の画像形成装置。
【手続補正２】
【補正対象書類名】明細書
【補正対象項目名】０００６
【補正方法】変更
【補正の内容】
【０００６】
最後、揺動ローラ対２７が回転して、綴じシート束Ｐをスタックトレイ２８に排出し（図２４（ａ））、逆回転してバッファシートＰ１，Ｐ２，Ｐ３を、中間トレイ２９上を滑降させて、ストッパ３１に当接させる（図２４（ｂ））。バッファシートには、後続のシートが順次積載されて所定枚数のシート束になったとき、そのシート束は、ステープラによって綴じられる。この一連の動作の繰り替えしによって、スタックトレイ２８に綴じられたシート束が順次積載されていく。
【手続補正３】
【補正対象書類名】明細書
【補正対象項目名】０００９
【補正方法】変更
【補正の内容】
【０００９】
しかし、従来のシート処理装置は、次の２つの課題を有していた。
【手続補正４】
【補正対象書類名】明細書
【補正対象項目名】００２０
【補正方法】変更
【補正の内容】
【００２０】
本発明のシート処理装置は、シートを搬送する搬送手段と、前記搬送手段によって搬送されてきた前記シートが積載される積載手段と、前記積載手段に積載されたシートを処理する処理手段と、前記搬送手段によって前記積載手段へ搬送される前記シートの通過を許容し、かつ前記処理手段の作動中に、前記通過するシートを所定枚数バッファするバッファ手段と、前記バッファ手段に配設されて、前記所定枚数のシートがバッファされた後、前記所定枚数のシートを前記バッファ手段から前記積載手段に移送する移送手段と、を備えており、さらに、前記搬送手段のシート搬送速度を制御する制御手段を備え、前記制御手段が、前記移送手段が前記バッファシートを移送しているときの前記シート搬送速度を、前記移送手段が前記バッファシートを受け入れているときの前記シート搬送速度よりも遅くする、ことを特徴としている。
【手続補正５】
【補正対象書類名】明細書
【補正対象項目名】００２２
【補正方法】変更
【補正の内容】
【００２２】
本発明の画像形成装置は、シートを搬送する搬送手段と、前記シートに画像を形成する画像形成部と、前記搬送手段によって搬送されてきた前記シートが積載される積載手段と、前記積載手段に積載されたシートを処理する処理手段と、前記搬送手段によって前記積載手段へ搬送される前記シートの通過を許容し、かつ前記処理手段の作動中に、前記通過するシートを所定枚数バッファするバッファ手段と、前記バッファ手段に配設されて、前記所定枚数のシートがバッファされた後、前記所定枚数のシートを前記バッファ手段から前記積載手段に移送する移送手段と、を備えており、さらに、前記搬送手段のシート搬送速度を制御する制御手段を備え、前記制御手段が、前記移送手段が前記バッファシートを移送しているときの前記シート搬送速度を、前記移送手段が前記バッファシートを受け入れているときの前記シート搬送速度よりも遅くする、ことを特徴としている。
【手続補正６】
【補正対象書類名】明細書
【補正対象項目名】００２５
【補正方法】変更
【補正の内容】
【００２５】
このため、本発明のシート処理装置は、バッファシートをバッファ手段から積載手段に移送する間に後続シートが送り込まれてきても、その後続シートをジャムらせることなく受け入れることができる。
【手続補正７】
【補正対象書類名】明細書
【補正対象項目名】００２９
【補正方法】変更
【補正の内容】
【００２９】
このため、本発明の画像形成装置は、バッファシートをバッファ手段から積載手段に移送する間に後続シートが送り込まれてきても、その後続シートをジャムらせることなく受け入れることができる。